【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】
連続するフレーム単位の画像からなる映像に含まれる静止画部分を含む特定の画像を検出する特定画像検出装置であって、
登録画像における特性が異なる１以上の特徴量を記憶する記憶手段と、
フレーム画像とこれに時間的に近接する近接フレーム画像との間の輝度変化の割合を算出し、該輝度変化の割合が所定の閾値以下であるフレーム画像を候補画像として検出する候補画像検出手段と、
上記候補画像における特性が異なる１以上の特徴量を検出する特徴量検出手段と、
上記候補画像の特徴量と、上記登録画像の特徴量との類似度が所定の閾値以上であるとき、該候補画像を特定画像として検出する検出手段と
を有することを特徴とする特定画像検出装置。
【請求項２】
上記記憶手段に記憶される特徴量は、上記登録画像における輝度情報、色情報、エッジ量、エッジ密度、輝度ヒストグラム、上記登録画像の静止時間、及び上記登録画像を含む所定期間の映像に含まれる効果音に関する情報のうち１以上の情報を含む
ことを特徴とする請求項１記載の特定画像検出装置。
【請求項３】
上記登録画像は使用者が指定した画像であって、
上記特徴量検出手段は、上記使用者が指定した画像である登録画像における特性が異なる１以上の特徴量を検出し、
上記記憶手段は、上記特徴量検出手段により検出された上記登録画像の特徴量を記憶する
ことを特徴とする請求項１記載の特定画像検出装置。
【請求項４】
上記記憶手段は、上記登録画像の特徴量と上記類似度の閾値とからなるデータが記録され、
上記検出手段により検出された特定画像に対する使用者の評価を入力する入力手段と、
上記入力手段を介して入力される使用者の評価に基づいて上記記憶手段の上記類似度の閾値を書き換える書き換え手段と
を有することを特徴とする請求項１記載の特定画像検出装置。
【請求項５】
上記検出手段により検出された特定画像を表示手段に表示する提示手段を有する
ことを特徴とする請求項１記載の特定画像検出装置。
【請求項６】
映像を供給する外部機器に接続され、
上記検出手段は、上記外部機器から供給される映像から上記特定画像を検出する
ことを特徴とする請求項１記載の特定画像検出装置。
【請求項７】
少なくとも２つのチューナ手段を有し、
上記提示手段は、一方のチューナ手段により選局された受信チャンネルの映像を上記表示手段に表示し、
上記検出手段は、他方のチューナ手段により選局された受信チャンネルの映像から上記特定画像を検出する
ことを特徴とする請求項５記載の特定画像検出装置。
【請求項８】
少なくとも２つのチューナ手段を有し、
上記検出手段は、一方のチューナ手段により選局された受信チャンネルの映像から上記特定画像を検出し、
上記提示手段は第１の表示手段及び第２の表示手段に接続され、他方のチューナ手段により選局された受信チャンネルの映像を該第１の表示手段に表示し、上記特定画像を該第２の表示手段に表示する
ことを特徴とする請求項５記載の特定画像検出装置。
【請求項９】
上記検出手段は、時分割で選局された複数の受信チャンネルの映像から上記特定画像を検出する
ことを特徴とする請求項８記載の特定画像検出装置。
【請求項１０】
上記提示手段は、上記検出手段により検出された上記特定画像を複数保持し、該複数の特定画像を縮小して上記表示手段に同時に表示する
ことを特徴とする請求項５記載の特定画像検出装置。
【請求項１１】
上記フレーム画像を予め規定したサイズのブロックに分割するブロック分割手段を有し、
上記検出手段は、フレーム画像と上記近接フレーム画像とで対応するブロック間の輝度変化が所定の閾値以下であるとき、該フレーム画像を候補画像として検出する
ことを特徴とする請求項１記載の特定画像検出装置。
【請求項１２】
上記ブロック分割手段により分割されたブロック毎に輝度ヒストグラムを算出する輝度ヒストグラム算出手段を有し、
上記候補画像検出手段は、フレーム画像と上記近接フレーム画像とで対応するブロック間の輝度ヒストグラムの相関係数が所定の閾値以下であるブロックの数が所定の閾値以下であるとき、該フレーム画像を候補画像として検出する
ことを特徴とする請求項１１記載の特定画像検出装置。
【請求項１３】
上記検出手段により特定画像が検出された際に使用者に知らせる通知手段を有する
ことを特徴とする請求項１記載の特定画像検出装置。
【請求項１４】
連続するフレーム単位の画像からなる映像に含まれる静止画部分を含む特定の画像を検出する特定画像検出装置の特定画像検出方法であって、
フレーム画像とこれに時間的に近接する近接フレーム画像との間の輝度変化の割合を算出し、該輝度変化の割合が所定の閾値以下であるフレーム画像を候補画像として検出する候補画像検出工程と、
上記候補画像における特性が異なる１以上の特徴量を検出する候補画像特徴量検出工程と、
上記候補画像の特徴量と、記憶手段に記憶された登録画像における特性が異なる１以上の特徴量との類似度が所定の閾値以上であるとき、該候補画像を特定画像として検出する検出工程と
を有することを特徴とする特定画像検出方法。
【請求項１５】
連続するフレーム単位の画像からなる映像に含まれる静止画像から特定の画像を検出する動作をコンピュータに実行させるためのプログラムであって、
フレーム画像とこれに時間的に近接する近接フレーム画像との間の輝度変化の割合を算出し、該輝度変化の割合が所定の閾値以下であるフレーム画像を候補画像として検出する候補画像検出工程と、
上記候補画像における特性が異なる１以上の特徴量を検出する候補画像特徴量検出工程と、
上記候補画像の特徴量と、記憶手段に記憶された登録画像における特性が異なる１以上の特徴量との類似度が所定の閾値以上であるとき、該候補画像を特定画像として検出する検出工程と
を有することを特徴とするプログラム。
【請求項１６】
連続するフレーム単位の画像からなる映像に含まれる静止画像から特定の画像を検出する動作をコンピュータに実行させるためのプログラムが記録されたコンピュータ読み取り可能な記録媒体であって、
フレーム画像とこれに時間的に近接する近接フレーム画像との間の輝度変化の割合を算出し、該輝度変化の割合が所定の閾値以下であるフレーム画像を候補画像として検出する候補画像検出工程と、
上記候補画像における特性が異なる１以上の特徴量を検出する候補画像特徴量検出工程と、
上記候補画像の特徴量と、記憶手段に記憶された登録画像における特性が異なる１以上の特徴量との類似度が所定の閾値以上であるとき、該候補画像を特定画像として検出する検出工程と
を有することを特徴とするプログラムが記録された記録媒体。
【請求項１７】
連続するフレーム単位の画像からなる映像に含まれる静止画部分を含む特定の画像を検出し、該特定画像を少なくとも１つの表示手段に表示する特定画像検出システムであって、
少なくとも１つの表示手段と、
登録画像における特性が異なる１以上の特徴量を記憶する記憶手段と、フレーム画像とこれに時間的に近接する近接フレーム画像との間の輝度変化の割合を算出し、該輝度変化の割合が所定の閾値以下であるフレーム画像を候補画像として検出する候補画像検出手段と、上記候補画像における特性が異なる１以上の特徴量を検出する特徴量検出手段と、上記候補画像の特徴量と、上記登録画像の特徴量との類似度が所定の閾値以上であるとき、該候補画像を特定画像として検出する検出手段と、上記表示手段に接続され上記検出手段により検出された上記特定画像を上記少なくとも１つの表示手段に表示する提示手段とを具備する特定画像検出手段と
を有することを特徴とする特定画像検出システム。
【請求項１８】
上記特定画像検出手段は少なくとも２つのチューナ手段を有し、
上記検出手段は、一方のチューナ手段により選局された受信チャンネルの映像から上記特定画像を検出し、
上記提示手段は、少なくとも第１及び第２の表示手段に接続され、他方のチューナ手段により選局された受信チャンネルの映像を該第１の表示手段に表示し、上記特定画像を該第２の表示手段に表示する
ことを特徴とする請求項１７記載の特定画像検出システム。